【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
画像シーケンスの第１の画像を符号化してストリームに埋め込む方法であって、
回転パラメータに従ってグローバルな回転における動き補償を第３の画像に適用することによって第２の画像を得ることであって、前記第３の画像が、前記第１の画像から得られる、得ることと、
動き補償モジュールの入力画像として前記第２の画像を使用することによって、前記第１の画像及び前記第１の画像と関連付けられた回転パラメータを符号化して前記ストリームに埋め込むことと
を含む、方法。
【請求項２】
前記第３の画像が前記第１の画像である、請求項１に記載の方法。
【請求項３】
前記第３の画像が、
前記第１の画像に応答して残差画像を得ることと、
前記第１の画像に応答して動き予測画像を得ることと
を行うことによって前記第１の画像から得られ、前記第３の画像が、前記残差画像を前記動き予測画像に加えることによって得られる再構成された画像である、請求項１に記載の方法。
【請求項４】
ストリームから画像シーケンスの第１の画像を復号する方法であって、
前記ストリームから第２の画像及び前記第２の画像と関連付けられた回転パラメータを得ることと、
前記回転パラメータに従ってグローバルな回転における動き補償を第３の画像に適用することによって前記第１の画像を復号することと
を含み、前記第３の画像が、動き補償モジュールの出力画像であり、前記出力画像が、前記第２の画像から得られる、方法。
【請求項５】
前記第３の画像が、前記復号済みの第１の画像である、請求項４に記載の方法。
【請求項６】
前記第３の画像が、
前記第２の画像に応答して残差画像を得ることと、
前記第２の画像に応答して動き予測画像を得ることと
を行うことによって得られ、前記第３の画像が、前記残差画像を前記動き予測画像に加えることによって得られる再構成された画像である、請求項４に記載の方法。
【請求項７】
画像シーケンスを表すデータを運ぶビットストリームであって、前記データが、
前記画像シーケンスを表す構文の第１の要素と、
前記画像シーケンスの少なくとも１つの画像の識別子と関連付けられたパラメトリックなグローバルな回転における動きのパラメータを表す構文の第２の要素と
を含むことを特徴とする、ビットストリーム。
【請求項８】
画像シーケンスの第１の画像を符号化してストリームに埋め込むデバイスであって、少なくとも１つのプロセッサと関連付けられたメモリを含み、前記少なくとも１つのプロセッサが、
回転パラメータに従ってグローバルな回転における動き補償を第３の画像に適用することによって第２の画像を得ることであって、前記第３の画像が、前記第１の画像から得られる、得ることと、
動き補償モジュールの入力画像として前記第２の画像を使用することによって、前記第１の画像及び前記第１の画像と関連付けられた回転パラメータを符号化して前記ストリームに埋め込むことと
を行うように構成される、デバイス。
【請求項９】
前記第３の画像が前記第１の画像である、請求項８に記載のデバイス。
【請求項１０】
前記第３の画像が、
前記第１の画像に応答して残差画像を得ることと、
前記第１の画像に応答して動き予測画像を得ることと
を行うことによって前記第１の画像から得られ、前記第３の画像が、前記残差画像を前記動き予測画像に加えることによって得られる再構成された画像である、請求項８に記載のデバイス。
【請求項１１】
ストリームから画像シーケンスの第１の画像を復号するデバイスであって、少なくとも１つのプロセッサと関連付けられたメモリを含み、前記少なくとも１つのプロセッサが、
前記ストリームから第２の画像及び前記第２の画像と関連付けられた回転パラメータを得ることと、
前記回転パラメータに従ってグローバルな回転における動き補償を第３の画像に適用することによって前記第１の画像を復号することと
を行うように構成され、前記第３の画像が、動き補償モジュールの出力画像であり、前記出力画像が、前記第２の画像から得られる、デバイス。
【請求項１２】
前記第３が、前記復号済みの第１の画像である、請求項１１に記載のデバイス。
【請求項１３】
前記第３の画像が、
前記第２の画像に応答して残差画像を得ることと、
前記第２の画像に応答して動き予測画像を得ることと
を行うことによって得られ、前記第３の画像が、前記残差画像を前記動き予測画像に加えることによって得られる再構成された画像である、請求項１２に記載のデバイス。
【請求項１４】
請求項２、３、５又は６のいずれか一項に記載の方法の少なくともステップをプロセッサに実行させる命令がその中に格納された非一時的なプロセッサ可読媒体。
【請求項１５】
符号化してビットストリームに埋め込まれた広視野映像の没入型レンダリングのシステムであって、
データネットワークから前記ビットストリームを受信するネットワークインタフェースと、
請求項１２又は１３に記載の前記ビットストリームを復号するデバイスと、
没入型レンダリングデバイスと
を少なくとも含む、システム。
【手続補正２】
【補正対象書類名】明細書
【補正対象項目名】０１０５
【補正方法】変更
【補正の内容】
【０１０５】
多くの実装形態について説明してきた。それにもかかわらず、様々な変更を行えることが理解されよう。例えば、他の実装形態を生成するために、異なる実装形態の要素を組み合わせることも、補足することも、変更することも、除去することもできる。それに加えて、当業者は、開示されるものの代わりに、他の構造及びプロセスを代用することができ、結果として得られる実装形態は、開示される実装形態と少なくとも実質的に同じ結果を達成するために、少なくとも実質的に同じ方法で、少なくとも実質的に同じ機能を実行することを理解するであろう。それに従って、これらの及び他の実装形態は、この出願によって企図される。
（付記１）
画像シーケンスの第１の画像（Ｉ１）を符号化してストリームに埋め込む方法であって、
回転パラメータに従ってグローバルな回転における動き補償を第３の画像（Ｉ２）に適用することによって第２の画像（Ｉ３）を得ることであって、前記第３の画像（Ｉ２）が、前記第１の画像から得られる、得ることと、
動き補償モジュールの入力画像として前記第２の画像（Ｉ３）を使用することによって、前記第１の画像（Ｉ１）及び前記第１の画像と関連付けられた回転パラメータを符号化して前記ストリームに埋め込むことと
を含む、方法。
（付記２）
前記第３の画像が前記第１の画像である、付記１に記載の方法。
（付記３）
前記第３の画像が、
前記第１の画像に応答して残差画像を得ることと、
前記第１の画像に応答して動き予測画像を得ることと
を行うことによって前記第１の画像から得られ、前記第３の画像が、前記残差画像を前記動き予測画像に加えることによって得られる再構成された画像である、付記１に記載の方法。
（付記４）
ストリームから画像シーケンスの第１の画像を復号する方法であって、
前記ストリームから第２の画像及び前記第２の画像と関連付けられた回転パラメータを得ることと、
前記回転パラメータに従ってグローバルな回転における動き補償を第３の画像（Ｉ４、Ｉ７）に適用することによって前記第１の画像を復号することと
を含み、前記第３の画像が、動き補償モジュールの出力画像であり、前記出力画像が、前記第２の画像から得られる、方法。
（付記５）
前記第３の画像が、前記復号済みの第１の画像である、付記４に記載の方法。
（付記６）
前記第３の画像が、
前記第２の画像に応答して残差画像を得ることと、
前記第２の画像に応答して動き予測画像を得ることと
を行うことによって得られ、前記第３の画像が、前記残差画像を前記動き予測画像に加えることによって得られる再構成された画像である、付記４に記載の方法。
（付記７）
画像シーケンスを表すデータを運ぶビットストリームであって、前記データが、
前記画像シーケンスを表す構文の第１の要素と、
前記画像シーケンスの少なくとも１つの画像の識別子と関連付けられたパラメトリックなグローバルな回転における動きのパラメータを表す構文の第２の要素と
を含むことを特徴とする、ビットストリーム。
（付記８）
画像シーケンスの第１の画像（Ｉ１）を符号化してストリームに埋め込むデバイスであって、少なくとも１つのプロセッサと関連付けられたメモリを含み、前記少なくとも１つのプロセッサが、
回転パラメータに従ってグローバルな回転における動き補償を第３の画像（Ｉ２）に適用することによって第２の画像（Ｉ３）を得ることであって、前記第３の画像（Ｉ２）が、前記第１の画像から得られる、得ることと、
動き補償モジュールの入力画像として前記第２の画像（Ｉ３）を使用することによって、前記第１の画像（Ｉ１）及び前記第１の画像と関連付けられた回転パラメータを符号化して前記ストリームに埋め込むことと
を行うように構成される、デバイス。
（付記９）
前記第３の画像が前記第１の画像である、付記８に記載のデバイス。
（付記１０）
前記第３の画像が、
前記第１の画像に応答して残差画像を得ることと、
前記第１の画像に応答して動き予測画像を得ることと
を行うことによって前記第１の画像から得られ、前記第３の画像が、前記残差画像を前記動き予測画像に加えることによって得られる再構成された画像である、付記８に記載のデバイス。
（付記１１）
ストリームから画像シーケンスの第１の画像を復号するデバイスであって、少なくとも１つのプロセッサと関連付けられたメモリを含み、前記少なくとも１つのプロセッサが、
前記ストリームから第２の画像及び前記第２の画像と関連付けられた回転パラメータを得ることと、
前記回転パラメータに従ってグローバルな回転における動き補償を第３の画像（Ｉ４、Ｉ７）に適用することによって前記第１の画像を復号することと
を行うように構成され、前記第３の画像が、動き補償モジュールの出力画像であり、前記出力画像が、前記第２の画像から得られる、デバイス。
（付記１２）
前記第３が、前記復号済みの第１の画像である、付記１１に記載のデバイス。
（付記１３）
前記第３の画像が、
前記第２の画像に応答して残差画像を得ることと、
前記第２の画像に応答して動き予測画像を得ることと
を行うことによって得られ、前記第３の画像が、前記残差画像を前記動き予測画像に加えることによって得られる再構成された画像である、付記１２に記載のデバイス。
（付記１４）
付記２、３、５又は６のいずれか一つに記載の方法の少なくともステップをプロセッサに実行させる命令がその中に格納された非一時的なプロセッサ可読媒体。
（付記１５）
符号化してビットストリームに埋め込まれた広視野映像の没入型レンダリングのシステムであって、
データネットワークから前記ビットストリームを受信するネットワークインタフェース（６００）と、
付記１２又は１３に記載の前記ビットストリームを復号するデバイス（７００）と、
没入型レンダリングデバイス（９００）と
を少なくとも含む、システム。